(57)【要約】【課題】さまざまな病気を防止するため、睡眠時やマスク使用時に口を閉じる一方で、一時的な口呼吸や会話は行い易くする。【解決手段】口閉じテープは、粘着剤が塗布され、横長のＸ字型の中央に、Ｏ字型を重ねた形状であり、中央に開口部（６）がある。一時的にあくびなどの口呼吸をしたり、会話をしたりする場合には、斜めに出たＸ字型端部（４）と、上下のＯ字型上下部（５）が固定されたまま、上下に昇降する並行リンク機構に類似して縦長に動き、唇を動かすことができる。口の力を抜くと、テープ素材の収縮で口が閉じられる。さらに、口を大きく空けてテープ素材に限界以上の負荷がかかる場合でも断裂して形状が変化することで剥がれない。また、収縮性のあるマスクの内側にテープを接続して口閉じマスクとして使うこともできる。【選択図】図１
2016220862.tif 000002
【特許請求の範囲】
【請求項１】
テープと、粘着剤と、剥離紙を有し、
前記テープに前記粘着剤が塗布され、その上に前記剥離紙が重なり、
前記テープは横長のＸ字型の中央に、開口部があるＯ字型を重ねた形状であり、
口を空ける動作で前記Ｘ字型のＸ字型端部と、前記Ｏ字型のＯ字型上下部が固定されたまま、上下に昇降する並行リンク機構に類似して前記テープが上下に伸びることを特徴とする口閉じテープ。
【請求項２】
２個以上の外周穴を有し、
前記外周穴は前記テープの前記開口部の左右に位置し、
前記テープは布製の素材であり、素材の構造的な限界以上の強さで上下に引っ張ると、前記外周穴の付近の外縁部、もしくは前記外周穴の付近の前記開口部から断裂しながら伸びることを特徴とする請求項１の口閉じテープ。
【請求項３】
マスクを有し、
前記テープの上部が前記マスクの上唇に当たる箇所、もしくは前記テープの上部と下部が前記マスクの上唇と下唇に当たる箇所に接合していることを特徴とする請求項１、２の口閉じテープ。
【発明の詳細な説明】
【技術分野】
【０００１】
本発明は口呼吸を抑止させ、鼻呼吸にすることで風邪やさまざまな病気を予防し、いびきの抑制にも役立つ。さらに、マスクにも口閉じ効果を付加できる技術分野とする。
【背景技術】
【０００２】
口呼吸の防止、鼻呼吸用に口閉じテープが出願され販売されている。（特許文献１〜８参照）
【先行技術文献】
【特許文献】
【０００３】
【特許文献１】特許公開平１０−３０５１００（口呼吸セーブテープ）
【特許文献２】特許公開２００３−１５９２６９（塞口テープ）
【特許文献３】特許公開２００２−３３６２８６（マウステープ）
【特許文献４】特許公開２０１１−２４５２５５（改良口呼吸防止帯）
【特許文献５】特許公開２０１４−２３６９２８（口呼吸矯正テープ）
【特許文献６】登録実用新案第３０６０９１５号（いびき防止具）
【特許文献７】登録実用新案第３１６０８９４号（Ｉ字型テープ  口呼吸防止用絆創膏）
【特許文献８】登録実用新案第３１９３６７９号（３領域貼着口閉じテープ）
【発明の概要】
【発明が解決しようとする課題】
【０００４】
（１）請求項１の解決しようとする課題
解決しようとする口閉じテープの第一の課題は、一本のテープで縦に固定する構造や、Ｖ型、Ｏ型、Ｕ型などで唇や口の周りの２〜３ケ所で止める構造が考案もされたが、
一時的なあくびなどの口呼吸や小声で口を開ける際の上下への収縮長が短いという点があった。
また、唇の外周で固定する構造も考案されたがサイズが大きいため口への装着に違和感が生じ、材料原価が高くなるという点があった。
本発明では、口を閉じることができ、一時的な開口による口呼吸と小声での会話ができ、さらに元の形状に戻り、かつ小型であることを第一の目的とする。
【０００５】
（４）請求項２の解決しようとする課題
解決しようとする第二の課題は、口を大きく開口しようとする場合に、一定以上開口できないか、瞬時に外れるという点があった。
本発明では、口が大きく開口して構造的な限界以上の強さで引っ張られた際にも柔軟性を持つことを第二の目的とする。
【０００６】
（４）請求項３の解決しようとする課題
解決しようとする第三の課題は、マスク着用時にマスクの材質により空気が遮られることで息苦しさを感じ、口で呼吸して、喉が乾燥する場合があった。マスク着用時に鼻呼吸にすることを第三の目的とする。
【課題を解決するための手段】
【０００７】
本発明は、上記の目的を達成するために、次の課題解決手段を備えて構成されている。
（１）請求項１の発明
本発明での、第一の目的である口を閉じることができ、一時的な開口による口呼吸と小声での会話ができ、さらに元の形状に戻り、かつ小型であることを実現する手段として、
テープと、粘着剤と、剥離紙を有し、
前記テープの片面に前記粘着剤が塗布され、その上に前記剥離紙が重なり、
前記テープは横長のＸ字型の中央に、開口部があるＯ字型を重ねた形状であり、
口を空ける動作で前記Ｘ字型のＸ字型端部と、前記Ｏ字型のＯ字型上下部が固定されたまま、上下に昇降する並行リンク機構に類似して前記テープが上下に伸びることを特徴とする。
【０００８】
（２）請求項２の発明
次に、第二の目的である口が大きく開口して構造的な限界以上の強さで引っ張られた際にも柔軟性を持つ手段として、
２個以上の外周穴を有し、
前記外周穴は前記テープの前記開口部の左右に位置し、
前記テープは布製の素材であり、素材の構造的な限界以上の強さで上下に引っ張ると、前記外周穴の付近の外縁部、もしくは前記外周穴の付近の前記開口部から断裂しながら伸びることを特徴とする。
【０００９】
（３）請求項３の発明
次に、第三の目的であるマスク着用時に鼻呼吸にする手段として、
マスクを有し、
前記テープの上部がマスクの上唇に当たる箇所、もしくは前記テープの上部と下部がマスクの上唇と下唇に当たる箇所に接合されていることを特徴とする。
【発明の効果】
【００１０】
本発明は上記のごとく、口閉じができ、開口ができ、口の筋肉を緩めると元の口閉じ状態に戻る。一時的な開口時には中央の開口部と左右のＸ字型端部への切込みにより呼吸や会話ができる。普通に話す程度で外れることはない。
【００１１】
使用者は本発明を装着して口を閉じることで口内の乾燥を防ぎ、喉の痛みや風邪などさまざまな病気を防止し、いびきも低減できる効果がある。
【００１２】
従来品は就寝時の使用を想定しているが、本発明はマスク内に付加することで昼間や屋外でも使用できる。
【図面の簡単な説明】
【００１３】
【図１】口閉じテープの正面図。
【図２】口閉じテープの背面図。
【図３】口閉じテープの側面図。
【図４】口へ装着する説明図。
【図５】キャラクタ形状の説明図。
【図６】従来品との比較図。
【図７】マスク内面への装着説明図。
【発明を実施するための形態】
【００１４】
発明を実施する形態により詳細を説明する。
（１）請求項１の実施の形態
本発明の第一の実施するための形態は上下に昇降する並行リンク機構に類似してテープ１が変形して伸長することを特長とし、合わせて収縮性のある素材の伸長も加えられることでスムーズな口の開閉動作を実現させる。正面図（図１）、背面図（図２）、側面図（図３）、口へ装着する説明図（図４）、従来品との比較図（図６）をもとに示す。
【００１５】
このテープ１の外形は正面図（図１）に示し、側面図（図３）のように片面に粘着剤２と剥離紙３が付加される。テープ１の素材は水や汗が付いても粘着性が保たれ、撥水・伸縮ができるものとする。テープ材は伸縮粘着包帯、サージカルテープや、収縮率の高い筋肉の保護用のキネシオテープを使用してもよい。
【００１６】
テープ形状へのカットはプレスの型抜きで行う。生地は通常、縦と横で収縮率が異なるため、正面図（図１）の上下に伸び易い方向でカットする。小ロットへの対応にはレーザーカッターを用いてもよい。
【００１７】
背面図（図２）に示す剥離紙は縦に２分割するスリット８を設けることにより剥がし易くする。
【００１８】
裁断する形状は正面図（１）に示すように横長のＸ字型の中央に、円形もしくは楕円形を重ねたものである。
サイズは性別／年齢などによって異なり、口へ装着する説明図（図４）に唇１０に被せたて装着した一例を示す。
【００１９】
ここで、従来品との比較図（図６）より、本発明と従来品を装着した場合の比較を説明する。
（図６）（ａ−１）（ｂ−１）口閉じ状態の動作説明
本発明（ａー１）と従来品（ｂ−１）共に、口閉じのときは唇にテープ１の全面が接着しており両製品とも口が完全に閉じられる。
【００２０】
（図６）（ａー２）（ｂ−２）少し開口の動作説明
一時的に口を少し開口する状態の（ａー２）と（ｂ−２）では、口の中央部に隙間が生じ、未接着部１２が現れる。この状態でも呼吸や、ささやき声で話すことができるが、開口面積が少ないため通常の呼吸や会話と比較して違和感がある。ここでの（ａー２）はＸ字型のＸ字型端部４と、Ｏ字型のＯ字型上下部５が固定されたまま上下に伸びるものである。
【００２１】
（図６）（ａー３）（ｂ−３）小声で話す大きさの開口の動作説明
さらに、小声で話す大きさの開口の場合、従来品（ｂ−３）はテープ１が伸びず開口できないか剥がれてしまい機能を果たさなくなる。本発明の（ａー３）ではＸ字型端部４と、Ｏ字型上下部５が固定されたままであり、口を開口すると口の左端と右端が寄るという性質を利用して、口を開けると共にテープ１のＸ字型端部の間が内側に狭まることで、機械的機構に使われる上下に昇降する並行リンク機構に類似してテープ形状を変えることができる。これにより、口の開閉ができ、図６（ａー１）から（ａー２）、そして（ａー３)にように未接着部１２が広くなり、テープ１が剥がれることなく順次開いていく。口を開く力が加わっていないときにはテープ１が元の形状に戻る収縮力で口が閉じられる。
【００２２】
（２）請求項２の実施の形態
第二の実施するための形態を正面図（図１）をもとに示すと、
開口部６の左右に、外周穴７を開けることにより、口を大きく開けた際の生地が伸び易くなり柔軟性が増す。
左右対象の外周穴７の数は最低２個からであるが多数の穴を開けたり、網目を入れてもよい。これは外周穴７により実質的なテープ１の幅が減少することで断面積あたりの引っ張る負荷が大きくなる。
【００２３】
さらに、この織られた生地の素材の縁部を構造的な限界以上の強さで上下に引くと、繊維が断裂してほぐれるという性質を利用し、通常の伸長の限界値より大きい負荷を、テープの外周穴７の付近の外縁部、もしくは外周穴７の付近の開口部６という一部に対し集中した負荷をかけて、意図的に生地を断裂させる。
【００２４】
その断裂箇所、断裂部１３は口へ装着する説明図（図４）に４個の外周穴７を開けた場合の一例として斜め線で示す。
【００２５】
ここで、従来品との比較図（図６）より説明する。
（図６）（ａー４）普通に話す言葉の開口の動作説明
２個の外周穴７を開けた際の状況をみると、従来品との比較図（図６）の（ａー３)では若干の断裂が入った後、（ａー４)では断裂部１３が増えるが、テープ１が剥がれることはない。この断裂部１３は口へ装着する張り付け位置によって、断裂部１３の位置が変わることがある。
生地が断裂した際にはテープ１が変形して形が完全には元に戻らないが、口閉じ機能が低下した状態で続けて使用することができる。従来品ではこのように対応できない。
【００２６】
また、キャラクタ形状の説明図（図５）を説明すると、開口部６の上部を平らにして、キャラクタの口に似せるものである。さらに２個の外周穴７はキャラクタの目に似せて楕円としているが、本発明の機能は満足させている。これらによって、利用者にキャラクタとして愛着を持たせることができ商品価値を高めることができる。
【００２７】
（３）請求項３の実施の形態
第三の実施するための形態をマスク内面への装着説明図（図７）をもとに示すと、
マスク２０の内面の口の上唇に当たる部分にテープ１の上部の接合部２２を接合するか、上唇と下唇に当たる部分にテープ１の上部と下部の2ケ所の接合部２２を接合する。このメッシュのかかった接合部２２はマスク２０とテープ１の内面であり外側からは見えない。
【００２８】
マスク２０へ接合するテープ１はマスク２０の生地が重なり装着時に上下に広げることができるマスク収縮部２１に当たらないように接合部２２を配置することにより、使用者が口を開ける際にテープ１がマスク２０に接合した抵抗感がなくなる。この接合方法は接着剤でも、縫製でもよい。
使用者はテープ１の剥離紙３を外して、テープ１を口に貼り付けた後に、マスク２０を耳に付けて着用する。
【産業上の利用可能性】
【００２９】
本発明は、口閉じテープ、および口閉じ機能があるマスクに関するものである。
【符号の説明】
【００３０】
１  テープ
２  粘着剤
３  剥離紙
４  Ｘ字型端部
５  Ｏ字型上下部
６  開口部
７  外周穴
８  スリット
１０  唇
１１  接着部
１２  未接着部
１３  断裂部
２０  マスク
２１  マスク収縮部
２２  接合部
【図１】
2016220862.tif 000003
【図２】
2016220862.tif 000004
【図３】
2016220862.tif 000005
【図４】
2016220862.tif 000006
【図５】
2016220862.tif 000007
【図６】
2016220862.tif 000008
【図７】
2016220862.tif 000009